(57)【要約】【課題】自カメラ及び他のカメラがどのような状態にあるかを容易に認識することができるカメラ映像中継システムを提供する。【解決手段】スタジオ装置１には複数の映像中継用カメラが接続されている。放送・試写選択部１０７は、映像中継用カメラを放送状態または試写状態の特定状態とするよう選択する。テキスト情報送受信部１１２は、特定状態の映像中継用カメラのカメラ名を、ネットワーク・インタフェース１１４を介してそれぞれの映像中継用カメラに送信する。映像中継用カメラは、特定状態のカメラ名を受信し、カメラ名をビューファインダに表示する。【選択図】図２
2013229775.tif 000002
【特許請求の範囲】
【請求項１】
スタジオ装置と、このスタジオ装置に接続された複数の映像中継用カメラとを備え、
前記スタジオ装置は、
前記複数の映像中継用カメラのうち、いずれかの映像中継用カメラを放送状態または試写状態の特定状態とするよう選択する選択部と、
前記特定状態の映像中継用カメラのカメラ名を前記複数の映像中継用カメラそれぞれに送信する第１の送信部と、
を備え、
前記映像中継用カメラは、
前記第１の送信部によって送信された前記カメラ名を受信する第１の受信部と、
前記第１の受信部によって受信した前記カメラ名を表示するカメラ名表示部と、
を備える
ことを特徴とするカメラ映像中継システム。
【請求項２】
前記映像中継用カメラは、
前記第１の送信部によって送信された前記カメラ名と自カメラのカメラ名とを比較して、自カメラが前記特定状態であるか否かを検出する検出部と、
前記検出部によって自カメラが前記特定状態であることが検出されたときに、前記カメラ名表示部に表示する前記カメラ名を強調する文字強調部と、
をさらに備えることを特徴とする請求項１記載のカメラ映像中継システム。
【請求項３】
前記映像中継用カメラは、前記映像中継用カメラが撮影している映像を表示する映像表示部をさらに備え、
前記カメラ名表示部と前記映像表示部とは同一の表示器による画面内に設定されていることを特徴とする請求項１または２に記載のカメラ映像中継システム。
【請求項４】
前記映像中継用カメラは、前記スタジオ装置に対して所定のテキスト情報を送信する第２の送信部をさらに備え、
前記スタジオ装置は、
前記テキスト情報を受信する第２の受信部と、
前記第２の受信部によって受信した前記テキスト情報を表示するテキスト情報表示部と、
をさらに備えることを特徴とする請求項１〜３のいずれか１項に記載のカメラ映像中継システム。
【請求項５】
前記第１及び第２の送信部は、前記カメラ名または前記テキスト情報を、MPEG2-TSシステムの同期PES方式を用いて送信することを特徴とする請求項４記載のカメラ映像中継システム。
【請求項６】
前記第１及び第２の送信部は、前記カメラ名または前記テキスト情報を、HDMI-CECのベンダー定義コマンド用いて送信することを特徴とする請求項４記載のカメラ映像中継システム。
【請求項７】
複数の映像中継用カメラが撮影している映像を受信する映像受信部と、
前記複数の映像中継用カメラそれぞれに対応し、前記映像受信部が受信した映像を表示する複数のモニタと、
前記複数の映像中継用カメラのうち、いずれかの映像中継用カメラを放送状態または試写状態の特定状態とするよう選択する選択部と、
前記特定状態の映像中継用カメラのカメラ名を前記複数の映像中継用カメラそれぞれに送信する送信部と、
前記複数の映像中継用カメラのいずれかが送信した所定のテキスト情報を受信する受信部と、
前記テキスト情報を表示するテキスト情報表示部と、
を備えることを特徴とするスタジオ装置。
【請求項８】
自己のカメラ名を保持するカメラ名設定部と、
スタジオ装置において放送状態または試写状態の特定状態に設定された映像中継用カメラのカメラ名を受信する受信部と、
前記受信部によって受信した前記カメラ名を表示するカメラ名表示部と、
前記受信部によって受信した前記カメラ名と前記カメラ名設定部に設定されている前記自己のカメラ名とを比較して一致するか否かを検出する検出部と、
前記検出部によって一致することが検出されたとき、前記カメラ名表示部に表示する前記カメラ名を強調する文字強調部と、
を備えることを特徴とする映像中継用カメラ。
【請求項９】
前記映像中継用カメラが撮影している映像を表示する映像表示部をさらに備え、
前記カメラ名表示部と前記映像表示部とは同一の表示器による画面内に設定されていることを特徴とする請求項８記載の映像中継用カメラ。
【請求項１０】
前記スタジオ装置に対して所定のテキスト情報を送信する送信部と、
前記送信部によって送信したテキスト情報を表示するテキスト情報表示部と、
をさらに備えることを特徴とする請求項８または９に記載の映像中継用カメラ。
【請求項１１】
前記テキスト情報表示部と前記映像表示部とは同一の表示器による画面内に設定されていることを特徴とする請求項１０記載の映像中継用カメラ。
【発明の詳細な説明】
【技術分野】
【０００１】
本発明は、スタジオ装置とスタジオ装置に直接的または間接的に接続された映像中継用カメラとを備えるカメラ映像中継システム、スタジオ装置、映像中継用カメラに関する。
【背景技術】
【０００２】
スタジオ装置と、スタジオ装置に接続された映像中継用カメラ（以下、単にカメラと呼ぶ場合がある）とを備えるカメラ映像中継システムがある。通常、スタジオ装置には複数台のカメラが接続される。カメラにはタリーと称されるランプが設けられている。放送中の映像を撮影しているカメラのタリーを点灯させ、それ以外のカメラのタリーを消灯させることによって、出演者，カメラマン，スタジオスタッフはどのカメラによる映像が放送されているかを知ることができる。
【先行技術文献】
【特許文献】
【０００３】
【特許文献１】特開平６−８６１０６号公報
【発明の概要】
【発明が解決しようとする課題】
【０００４】
ところが、第１の問題点として、タリーによる表示は視認性がさほどよくなく、自カメラによる映像が放送されている放送状態であるか否かを見落としてしまうおそれがあった。また、第２の問題点として、カメラマンは自カメラ以外の他のカメラに関する情報を得ることができず、自カメラが放送状態でない場合に、他のどのカメラが放送状態であるかを知ることが困難であった。スタジオ内に複数台のカメラが設置されている場合にはタリーによってどのカメラが放送状態であるかを知ることは比較的容易である。しかしながら、複数台のカメラがスタジオと離れた複数の場所それぞれに設置されている場合には他のどのカメラが放送状態であるかを知ることは極めて困難である。
【０００５】
さらに、第３の問題点として、カメラマンとスタジオスタッフとが簡単に連絡を取り合う方法がなかった。例えば、カメラマンがカメラを切り換えるオペレータに対して放送状態のカメラを自カメラから他のカメラへと切り換えるよう要求したい場合がある。しかしながら、従来は、簡単に連絡を取り合う方法がなく、例えば無線機を用いた音声通話で会話する必要があった。
【０００６】
本発明はこのような問題点に鑑み、自カメラ及び他のカメラがどのような状態にあるかを容易に認識することができ、カメラマンとスタジオスタッフとがカメラ及びスタジオ装置が有する機能によって簡単に連絡を取り合うことができるカメラ映像中継システム、スタジオ装置、映像中継用カメラを提供することを目的とする。
【課題を解決するための手段】
【０００７】
本発明は、上述した従来の技術の課題を解決するため、スタジオ装置（１）と、このスタジオ装置に接続された複数の映像中継用カメラ（３）とを備え、前記スタジオ装置は、前記複数の映像中継用カメラのうち、いずれかの映像中継用カメラを放送状態または試写状態の特定状態とするよう選択する選択部（１０７）と、前記特定状態の映像中継用カメラのカメラ名を前記複数の映像中継用カメラそれぞれに送信する第１の送信部（１１２）とを備え、前記映像中継用カメラは、前記第１の送信部によって送信された前記カメラ名を受信する第１の受信部（３１１）と、前記第１の受信部によって受信した前記カメラ名を表示するカメラ名表示部（3052，3053）とを備えることを特徴とするカメラ映像中継システムを提供する。
【０００８】
上記のカメラ映像中継システムにおいて、前記映像中継用カメラは、前記第１の送信部によって送信された前記カメラ名と自カメラのカメラ名とを比較して、自カメラが前記特定状態であるか否かを検出する検出部（３０１）と、前記検出部によって自カメラが前記特定状態であることが検出されたときに、前記カメラ名表示部に表示する前記カメラ名を強調する文字強調部（3040）とをさらに備えることが好ましい。
【０００９】
上記のカメラ映像中継システムにおいて、前記映像中継用カメラは、前記映像中継用カメラが撮影している映像を表示する映像表示部（3051）をさらに備え、前記カメラ名表示部と前記映像表示部とは同一の表示器（３０５）による画面内に設定されていることが好ましい。
【００１０】
上記のカメラ映像中継システムにおいて、前記映像中継用カメラは、前記スタジオ装置に対して所定のテキスト情報を送信する第２の送信部（３１１）をさらに備え、前記スタジオ装置は、前記テキスト情報を受信する第２の受信部（１１２）と、前記第２の受信部によって受信した前記テキスト情報を表示するテキスト情報表示部（1093）とをさらに備えることが好ましい。
【００１１】
上記のカメラ映像中継システムにおいて、前記第１及び第２の送信部は、前記カメラ名または前記テキスト情報を、MPEG2-TSシステムの同期PES方式を用いたデータとして送信することができる。
【００１２】
上記のカメラ映像中継システムにおいて、前記第１及び第２の送信部は、前記カメラ名または前記テキスト情報を、HDMI-CECのベンダー定義コマンド用いたデータとして送信することができる。
【００１３】
また、本発明は、上述した従来の技術の課題を解決するため、複数の映像中継用カメラが撮影している映像を受信する映像受信部（１１３）と、前記複数の映像中継用カメラそれぞれに対応し、前記映像受信部が受信した映像を表示する複数のモニタ（１０２〜１０６）と、前記複数の映像中継用カメラのうち、いずれかの映像中継用カメラを放送状態または試写状態の特定状態とするよう選択する選択部（１０７）と、前記特定状態の映像中継用カメラのカメラ名を前記複数の映像中継用カメラそれぞれに送信する送信部（１１２）と、前記複数の映像中継用カメラのいずれかが送信した所定のテキスト情報を受信する受信部（１１２）と、前記テキスト情報を表示するテキスト情報表示部（1093）とを備えることを特徴とするスタジオ装置を提供する。
【００１４】
さらに、本発明は、上述した従来の技術の課題を解決するため、自己のカメラ名を保持するカメラ名設定部（３０２）と、スタジオ装置（１）において放送状態または試写状態の特定状態に設定された映像中継用カメラのカメラ名を受信する受信部（３１１）と、前記受信部によって受信した前記カメラ名を表示するカメラ名表示部（3052，3053）と、前記受信部によって受信した前記カメラ名と前記カメラ名設定部に設定されている前記自己のカメラ名とを比較して一致するか否かを検出する検出部（３０１）と、前記検出部によって一致することが検出されたとき、前記カメラ名表示部に表示する前記カメラ名を強調する文字強調部（3040）とを備えることを特徴とする映像中継用カメラを提供する。
【００１５】
上記の映像中継用カメラにおいて、前記映像中継用カメラが撮影している映像を表示する映像表示部（3051）をさらに備え、前記カメラ名表示部と前記映像表示部とは同一の表示器（３０５）による画面内に設定されていることが好ましい。
【００１６】
上記の映像中継用カメラにおいて、前記スタジオ装置に対して所定のテキスト情報を送信する送信部（３１１）と、前記送信部によって送信したテキスト情報を表示するテキスト情報表示部（3054）とをさらに備えることが好ましい。
【００１７】
上記の映像中継用カメラにおいて、前記テキスト情報表示部と前記映像表示部とは同一の表示器による画面内に設定されていることが好ましい。
【発明の効果】
【００１８】
本発明のカメラ映像中継システム、スタジオ装置、映像中継用カメラによれば、自カメラ及び他のカメラがどのような状態にあるかを容易に認識することができ、カメラマンとスタジオスタッフとがカメラ及びスタジオ装置が有する機能によって簡単に連絡を取り合うことができる。
【図面の簡単な説明】
【００１９】
【図１】本発明のカメラ映像中継システムの一実施形態を示す概略図である。
【図２】図１中のスタジオ装置１の具体的構成例であり、本発明のスタジオ装置の一実施形態を示すブロック図である。
【図３】図１中のスタジオ装置１の外観構成例を示す図である。
【図４】図１中の映像中継用カメラ３の具体的構成例であり、本発明の映像中継用カメラの一実施形態を示すブロック図である。
【図５】図１中の映像中継用カメラ３の外観構成例を示す斜視図である。
【図６】映像中継用カメラ３のビューファインダ３０５に表示される映像及び文字情報の例を示す図である。
【図７】映像中継用カメラ３のビューファインダ３０５に表示される映像及び文字情報の例を示す図である。
【図８】映像中継用カメラ３における放送状態となっているカメラ及び試写状態となっているカメラのカメラ名の表示処理を示すフローチャートである。
【図９】映像中継用カメラ３からスタジオ装置１へのリクエスト情報の送信処理を示すフローチャートである。
【図１０】映像中継用カメラ３からリクエスト情報が送信されたときのスタジオ装置１の応答処理を示すフローチャートである。
【発明を実施するための形態】
【００２０】
以下、本発明のカメラ映像中継システム、スタジオ装置、映像中継用カメラの一実施形態について、添付図面を参照して説明する。まず、図１を用いて、一実施形態のカメラ映像中継システム１００の全体構成について説明する。スタジオ装置１には、ネットワーク２を介して映像中継用カメラ３Ａ，３Ｂ，３Ｃ，３Ｄが接続されている。カメラ３Ａ〜３Ｄのいずれかを特定しないカメラの総称をカメラ３とする。ここでは、カメラ３を４台としているが、カメラ３の台数は任意である。
【００２１】
カメラ３Ａ〜３Ｄは、スタジオ装置１を設置しているスタジオと離れた複数の場所それぞれに設置されているとする。ここでは、スタジオ装置１とカメラ３Ａ〜３Ｄとがネットワーク２を介して間接的に接続されているが、スタジオ装置１とカメラ３Ａ〜３Ｄとが直接接続されていてもよい。ネットワーク２は、インターネットやＬＡＮ（ローカル・エリア・ネットワーク）等の任意のネットワークである。一例として、カメラ３Ａは音楽隊、カメラ３Ｂは獅子舞、カメラ３Ｃはおみこし、カメラ３Ｄは盆踊りをそれぞれ映像中継するものとする。
【００２２】
図２，図３を用いてスタジオ装置１の具体的構成について説明する。図２はスタジオ装置１の機能的な構成例を示しており、図３はスタジオ装置１の外観構成例を示している。図２において、制御部１０１はスタジオ装置１内の各部を制御する。図２，図３に示すように、スタジオ装置１は、放送状態のカメラ３からの映像を表示するモニタ１０２と、カメラ３Ａ〜３Ｄからの映像を表示するモニタ１０３〜１０６を備える。図３に示す例では、音楽隊の映像を中継しているカメラ３Ａが放送状態となっている。従って、モニタ１０２とモニタ１０３とは同じ映像が表示されている。
【００２３】
スタジオ装置１は、カメラ３Ａ〜３Ｄを放送状態とするか、試写状態とするか、いずれにもしないかを選択するための放送・試写選択部１０７を備える。試写状態とは、カメラ３で撮影している映像が放送されていないが、放送状態に切り換える準備が完了している状態である。放送状態でも試写状態でもない状態は、カメラアングルの移動中であったり、リハーサル中であったりして放送状態に移行することのない準備の状態である。この準備の状態で、カメラ３の電源をリセットすることもある。
【００２４】
図３に示すように、放送・試写選択部１０７は、カメラ３Ａを放送状態とするボタン107A1、カメラ３Ａを試写状態とするボタン107A2、カメラ３Ｂを放送状態とするボタン107B1、カメラ３Ｂを試写状態とするボタン107B2、カメラ３Ｃを放送状態とするボタン107C1、カメラ３Ｃを試写状態とするボタン107C2、カメラ３Ｄを放送状態とするボタン107D1、カメラ３Ｄを試写状態とするボタン107D2を有する。ここでは、放送・試写選択部１０７の各ボタンは押し込んだ状態（選択状態）と押し込んでいない状態（非選択状態）とのいずれかをとる物理的なボタンとしている。各ボタンをタッチパネルによるボタンとしてもよい。
【００２５】
放送状態とするためのボタン107A1，107B1，107C1，107D1はいずれか１つのみ選択状態とすることができる。図３ではボタン107A1が選択状態となっていてカメラ３Ａが放送状態となっている。ボタン107B1，107C1，107D1のいずれかが選択状態とされれば、ボタン107A1は非選択状態となる。試写状態とするためのボタン107A2，107B2，107C2，107D2も同様にいずれか１つのみ選択状態とすることができる。但し、同一のカメラに対する放送状態とするためのボタンと試写状態とするためのボタンとは同時に選択状態となることはない。
【００２６】
図３では、カメラ３Ａが放送状態、カメラ３Ｂが試写状態となっており、ボタン107A1，107B2はそれぞれライトが点灯して明るくなっている。ハッチングを付している放送状態でも試写状態でもない状態の他のボタンはライトが消灯して暗くなっている。これらのライトの点灯・消灯は制御部１０１によって制御される。スタジオ装置１のオペレータはライトの点灯・消灯によってどのカメラ３が放送状態であるか、どのカメラ３が試写状態であるかを容易に認識することができる。
【００２７】
スタジオ装置１は文字情報表示部１０９を備える。文字情報表示部１０９は、それぞれのカメラ３を識別するためのカメラ名を表示するカメラ名表示部1091と、スタジオ装置１の状態を表示するスタジオ情報表示部1092と、カメラ３からのリクエスト情報等のテキスト情報を表示するテキスト情報表示部1093とを有する。カメラ名とは、カメラ３を互いに区別可能に識別するための名称や符号である。図３に示すように、カメラ名表示部1091は、カメラ３Ａ，３Ｂ，３Ｃ，３Ｄそれぞれのカメラ名を表示する表示部1091A，1091B，1091C，1091Dを有する。表示部1091A〜1091Dは、それぞれモニタ１０３〜１０６の近傍に設けられている。
【００２８】
一例として、カメラ３Ａのカメラ名は“Ａ００１”、カメラ３Ｂのカメラ名は“Ｂ００１”、カメラ３Ｃのカメラ名は“Ｃ００１”、カメラ３Ｄのカメラ名は“Ｄ００１”となっている。これらのカメラ名Ａ００１〜Ｄ００１は例えばテキスト情報の形式で図２に示すカメラ名保持部１０８に保持されている。
【００２９】
カメラ３Ａは音楽隊、カメラ３Ｂは獅子舞、カメラ３Ｃはおみこし、カメラ３Ｄは盆踊りをそれぞれ映像中継するので、カメラ３Ａのカメラ名を“音楽隊”、カメラ３Ｂのカメラ名を“獅子舞”、カメラ３Ｃのカメラ名を“おみこし”、カメラ３Ｄのカメラ名を“盆踊り”のように映像中継する対象名をそのままカメラ名としてもよい。また、それぞれのカメラ３を設置している地名やカメラマンの名前をカメラ名としてもよい。
【００３０】
キー入力部１１０によってカメラ３のカメラ名を手動で入力してもよい。キー入力部１１０は、カメラ名を入力するための各種のキーや、後述するカメラ３から送信されたテキスト情報に応答するためのキーを含む複数のキーを有する。
【００３１】
また、それぞれのカメラ３がカメラ名を保持している場合には、それぞれのカメラ３からネットワーク２を介してカメラ名を取り込んでもよい。テキスト情報送受信部１１２がカメラ名をネットワーク・インタフェース（ネットワークＩ／Ｆ）１１４を介して受信し、制御部１０１がカメラ名保持部１０８に保持させることができる。
【００３２】
スタジオ装置１とカメラ３とのカメラ名その他のテキスト情報の送受信は、一例として、MPEG2-TS（Moving Pictures Expert Group 2- Transport Stream）システムの同期PES（Packetized Elementary Stream）方式を用いた字幕データとして伝送することができる。他の一例として、HDMI-CEC（High-Definition Multimedia Interface Consumer Electronics Control）のベンダー定義コマンドを用いて伝送することができる。
【００３３】
テキスト情報送受信部１１２は、制御部１０１による制御に基づいて、放送・試写選択部１０７によって放送状態に設定されているカメラ３のカメラ名と試写状態設定されているカメラ３のカメラ名のそれぞれを示すテキスト情報をネットワークＩ／Ｆ１１４を介してそれぞれのカメラ３に送信する。
【００３４】
図２において、文字情報生成部１１１は、カメラ名保持部１０８に保持されているカメラ名に基づいて文字情報を生成する。カメラ名を示す文字情報は、制御部１０１の制御によってカメラ名表示部1091に表示される。文字情報生成部１１１は、プレーンの文字情報を生成してもよいし、デジタル放送の字幕伝送に用いられる８単位符号を用いて、書体、文字のサイズ、縁取りやアンダーライン等の文字飾り、文字の色、背景色の少なくとも１つを指定した文字情報を生成してもよい。
【００３５】
図３に示すように、スタジオ情報表示部1092は、放送状態のカメラ３からの映像を表示するモニタ１０２の近傍に設けられている。テキスト情報表示部1093は、一例として、スタジオ情報表示部1092の下方に設けられている。文字情報生成部１１１は、制御部１０１による制御に基づいて、放送状態のカメラ３がカメラ３Ａ〜３Ｄのいずれであるかを示す文字情報を生成する。ここでも８単位符号を用いて文字情報を生成してもよい。
【００３６】
この放送状態のカメラ３を示す文字情報は、制御部１０１の制御によってスタジオ情報表示部1092に表示される。放送状態のカメラ３を示す文字情報は一例として、「放送モニタ：カメラＡ００１」である。
【００３７】
後述するように、カメラ３はスタジオ装置１に対してリクエスト情報等のテキスト情報を送信することができる。テキスト情報送受信部１１２は、カメラ３が送信したテキスト情報を、ネットワークＩ／Ｆ１１４を介して受信する。文字情報生成部１１１は、制御部１０１による制御に基づいて、テキスト情報送受信部１１２が受信したテキスト情報に応じた文字情報を生成する。ここでも８単位符号を用いて文字情報を生成してもよい。
【００３８】
このテキスト情報に応じた文字情報は、制御部１０１の制御によってテキスト情報表示部1093に表示される。テキスト情報に応じた文字情報は一例として、「受信テキスト：カメラＢ００１から切換要求が届きました」である。なお、文字情報生成部１１１が８単位符号を用いて文字情報を生成する場合には、制御部１０１は８単位符号をデコードするデコーダを有する構成とする。
【００３９】
映像情報受信部１１３は、それぞれのカメラ３Ａ〜３Ｄが送信した映像情報を、ネットワークＩ／Ｆ１１４を介して受信する。制御部１０１は、映像情報受信部１１３が受信したカメラ３Ａ〜３Ｄからの映像情報をモニタ１０２〜１０６に表示させる。
【００４０】
次に、図４，図５を用いてカメラ３の具体的構成について説明する。図４はカメラ３の機能的な構成例を示しており、図５はカメラ３の外観構成例を示している。図４において、制御部３０１はカメラ３内の各部を制御する。カメラ３は、カメラ名設定部３０２を備える。カメラ名設定部３０２には、カメラ３（自カメラ）のカメラ名（自己のカメラ名）が設定されている。キー入力部３０８によってカメラ名をカメラ名設定部３０２に設定することができる。キー入力部３０８は、カメラ３に対して着脱自在であってもよい。
【００４１】
キー入力部３０８によってカメラ名を入力する代わりに、カメラ名を記憶している半導体メモリカードをカメラ３によって読み込んでカメラ名を入力してもよい。この場合には、カメラ３に半導体メモリカードの読み取り部を設ける。
【００４２】
カメラ３は操作ボタン３０９を備える。図５に示すように、操作ボタン３０９は、カメラ３の電源を切断または投入する電源ボタン3090と、テキスト送信ボタン3091，3092とを含む。カメラマンは、テキスト送信ボタン3091，3092それぞれに、スタジオ装置１に対するリクエスト情報を含むテキスト情報を設定できるようになっている。リクエスト情報とはテキスト情報の１つである。キー入力部３０８を用いてテキスト情報を入力することができる。テキスト送信ボタン3091，3092それぞれに対して設定したテキスト情報は、制御部３０１による制御に基づいて、テキスト情報設定部３１０に保持される。
【００４３】
一例として、テキスト送信ボタン3091に対して、「カメラ切換要求」なるリクエスト情報が設定され、テキスト送信ボタン3092に対して、「準備完了」なるテキスト情報が設定されている。これらのテキスト情報は単なる一例であり、スタジオ装置１に対して所定の連絡を行うためのテキスト情報であればよい。「カメラ切換要求」とは、自カメラが放送状態または試写状態であるときに自カメラを放送状態及び試写状態ではない準備の状態へと切り換える要求である。
【００４４】
テキスト送信ボタン3091または3092が押下された場合には、制御部３０１は、テキスト情報設定部３１０に保持されている押下されたテキスト送信ボタンに対応するテキスト情報を読み出す。制御部３０１は、読み出したテキスト情報をテキスト情報送受信部３１１によってスタジオ装置１に送信するよう制御する。
【００４５】
図５において、カメラ３は、撮影している映像を表示するビューファインダ３０５と、集音するマイクロホン３１５を備える。図５に示す例では、カメラ３は三脚３２０に装着されている。カメラ３を三脚３２０に装着せず、カメラ３をカメラマンの肩に乗せてもよく、カメラ３を用いた撮影の仕方は任意である。
【００４６】
図４において、撮像部３０７によって撮像されて出力された映像情報は、映像情報処理部３０６によって処理される。映像情報処理部３０６によって処理された映像情報は、ビューファインダ３０５に表示される。映像情報送信部３１２は、制御部３０１による制御に基づいて、映像情報処理部３０６によって処理された映像情報をネットワークＩ／Ｆ３１３を介してスタジオ装置１へと送信する。
【００４７】
テキスト情報送受信部３１１は、スタジオ装置１から送信された放送状態に設定されているカメラ３のカメラ名と試写状態に設定されているカメラ３のカメラ名のそれぞれを示すテキスト情報を受信する。これらのテキスト情報は特定状態カメラ名取得部３０３に入力されて、カメラ名を示すプレーンの文字情報が取り出される。特定状態カメラ名取得部３０３は、カメラ名を示すプレーンの文字情報を保持する。
【００４８】
制御部３０１は、カメラ名設定部３０２に設定されているカメラ名と、特定状態カメラ名取得部３０３が保持しているカメラ名とを比較する。これによって、制御部３０１は、自カメラが放送状態に設定されているか、試写状態に設定されているか、いずれにも設定されていない待機の状態であるかを検出することができる。制御部３０１は、スタジオ装置１のテキスト情報送受信部１１２から送信された特定状態のカメラ名と、カメラ名設定部３０２に保持している自己のカメラ名とを比較して、自カメラが特定状態であるか否かを検出する検出部として動作している。
【００４９】
文字情報生成部３０４は、制御部３０１による制御に基づいて、放送状態に設定されているカメラ３と試写状態に設定されているカメラ３とを示す文字情報を生成する。文字情報生成部３０４は、文字強調部3040を有する。文字強調部3040は、自カメラが放送状態に設定されている場合には放送状態に設定されているカメラ３を示す文字情報を強調し、自カメラが試写状態に設定されている場合に試写状態に設定されているカメラ３を示す文字情報を強調する。文字強調部3040は、８単位符号を用いて文字情報を強調することができる。
【００５０】
また、文字情報生成部３０４は、リクエスト情報等のテキスト情報をスタジオ装置１に送信した場合には、送信したテキスト情報を示す文字情報を生成する。
【００５１】
制御部３０１は、文字情報生成部３０４が生成した文字情報をビューファインダ３０５に表示させる。制御部３０１は８単位符号をデコードするデコーダを有する。従って、文字強調部3040が文字情報を強調する場合には、制御部３０１は強調した文字情報をビューファインダ３０５に表示させることができる。
【００５２】
図６を用いて、ビューファインダ３０５に表示される映像情報と文字情報の例について説明する。図６は、Ｂ００１なるカメラ名を有し、獅子舞を映像中継しているカメラ３Ｂのビューファインダ３０５に表示される映像情報と文字情報の例を示している。
【００５３】
図６の（ａ）に示すように、ビューファインダ３０５の表示領域3051には、カメラ３Ｂ（カメラ３）が撮影している映像が表示されている。表示領域3051は、映像表示部である。表示領域3052は、放送状態のカメラ名を表示する領域である。ここではカメラ３Ａが放送状態となっており、表示領域3052に「放送：Ａ００１」と表示されている。表示領域3053は、試写状態のカメラ名を表示する領域である。ここではカメラ３Ｃが試写状態となっており、表示領域3053に「試写：Ｃ００１」と表示されている。表示領域3052，3053は、特定状態のカメラ３のカメラ名を表示するカメラ名表示部である。
【００５４】
表示領域3054は、カメラ３Ｂ（カメラ３）がスタジオ装置１に送信するテキスト情報やスタジオ装置１からカメラ３Ｂ（カメラ３）へと送信されたテキスト情報に基づいた文字情報を表示する領域である。表示領域3054は、テキスト情報表示部である。ここではカメラ３Ｂはまだテキスト情報を送信しておらず、スタジオ装置１からカメラ３Ｂへもテキスト情報が送信されていないので、表示領域3054には何も表示されていない。
【００５５】
図６の（ｂ）は、カメラ３Ａが放送状態となっており、カメラ３Ｂが試写状態となっている状態を示している。図６の（ｂ）では、表示領域3053には「試写：Ｂ００１」と表示されている。上記のように、制御部３０１は、自カメラ（カメラ３Ｂ）が試写状態に設定されていることを検出し、文字強調部3040によって表示領域3053における文字情報を強調する。文字情報を強調の仕方は任意であり、文字サイズを拡大したり、文字列の背景色を高輝度にしたり、背景色を目立つ色にしたりすればよい。
【００５６】
カメラマンは、表示領域3053に試写状態のカメラ３として自カメラのカメラ名が表示されていることから、自カメラが試写状態となっていることを認識することができる。しかも、表示領域3053に表示されている文字情報は強調されているので、カメラマンは表示領域3053の表示を見落とすことなく、自カメラが試写状態となっていることを容易に認識することが可能である。
【００５７】
図６の（ｃ）は、（ｂ）の状態からカメラ３Ｂが放送状態へと切り換えられ、カメラ３Ｄが試写状態となった状態を示している。図６の（ｃ）では、表示領域3052に「放送：Ｂ００１」と表示され、表示領域3053には「試写：Ｄ００１」と表示されている。上記のように、制御部３０１は、自カメラ（カメラ３Ｂ）が放送状態に設定されていることを検出し、図６の（ｂ）の表示領域3053と同様に、文字強調部3040によって表示領域3052における文字情報を強調する。
【００５８】
カメラマンは、表示領域3052に放送状態のカメラ３として自カメラのカメラ名が表示されていることから、自カメラが放送状態となっていることを認識することができる。しかも、表示領域3052に表示されている文字情報は強調されているので、カメラマンは表示領域3052の表示を見落とすことなく、自カメラが放送状態となっていることを容易に認識することが可能である。
【００５９】
このように、自カメラが放送状態となっていることや試写状態になっていることを示す文字情報が、カメラ３が撮影している映像を表示しているビューファインダ３０５に表示される。また、自カメラが放送状態と試写状態のいずれにもなっていない場合には、放送状態となっているカメラ名を示す文字情報と試写状態になっているカメラ名を示す文字情報がビューファインダ３０５に表示される。従って、従来のタリーとは異なり、自カメラ及び他のカメラがどのような状態にあるかを容易に認識することができる。
【００６０】
図７の（ａ）は、図６の（ｂ）と同様、カメラ３Ａが放送状態となっており、カメラ３Ｂが試写状態となっている状態である。カメラ３Ｂが例えば電源のリセットやカメラアングルを移動する必要が生じ、カメラマンがテキスト送信ボタン3091を押下したとする。前述のように、テキスト送信ボタン3091が押下されると、制御部３０１は、テキスト送信ボタン3091に対して設定されている「カメラ切換要求」なるリクエスト情報をスタジオ装置１に送信する。制御部３０１は、表示領域3054にスタジオ装置１に送信したリクエスト情報である「カメラ切換要求」なる文字情報を表示する。
【００６１】
図７の（ｂ）は、スタジオ装置１が試写状態のカメラ３をカメラ３Ｂからカメラ３Ｄへと切り換えた状態を示している。制御部３０１が、試写状態のカメラ３がカメラ３Ｂからカメラ３Ｄへと切り換えられたことを検出したら、表示領域3054の表示を消去する。
【００６２】
図３のスタジオ装置１におけるテキスト情報表示部1093の文字情報は、図７の（ａ）のようにカメラ３Ｂがスタジオ装置１に送信した「カメラ切換要求」のリクエスト情報をスタジオ装置１が受信したことに対応して表示されたものである。なお、テキスト送信ボタン3092を押下すれば、「準備完了」なるテキスト情報をスタジオ装置１に送信し、表示領域3054に準備完了」なる文字情報を表示する。
【００６３】
スタジオ装置１とカメラ３とがテキスト情報の送受信によって互いに連絡を取り合う動作について、図８〜図１０のフローチャートを用いて改めて説明する。図８は、カメラ３における放送状態となっているカメラ３及び試写状態となっているカメラ３のカメラ名の表示処理を示している。図９は、カメラ３からスタジオ装置１へのリクエスト情報の送信処理を示している。図１０は、カメラ３からリクエスト情報が送信されたときのスタジオ装置１の応答処理を示している。
【００６４】
図８において、カメラ３の制御部３０１は、ステップＳ１にて、スタジオ装置１から送信された放送状態と試写状態のカメラ名を示すテキスト情報を取得する。制御部３０１は、ステップＳ２にて、自カメラは放送状態であるか否かを判定する。放送状態であれば（YES）、制御部３０１は、ステップＳ４にて、放送状態のカメラ名を示す文字情報を強調処理する。放送状態でなければ（NO）、制御部３０１は、ステップＳ３にて、自カメラは試写状態であるか否かを判定する。試写状態であれば（YES）、制御部３０１は、ステップＳ４にて、試写状態のカメラ名を示す文字情報を強調処理する。
【００６５】
試写状態でなければ（NO）、自カメラは放送状態でも試写状態でもないということであり、制御部３０１は、ステップＳ５にて、放送状態のカメラ名と試写状態のカメラ名を示す文字情報を強調処理せず表示処理して終了する。
【００６６】
図９において、制御部３０１は、ステップＳ１１にて、自カメラが放送状態または試写状態となっている特定状態の解除を要求する。制御部３０１は、ステップＳ１２にて、スタジオが了承しかた否かを判定する。スタジオ装置１を操作するスタジオスタッフは、了承する場合はキー入力部１１０によって了承する旨を示すキーを入力し、了承しない場合は了承しない旨を示すキーを入力すればよい。これらのキー入力に対応したテキスト情報をカメラ３に送信することによって、カメラ３はスタジオが了承しかた否かを判定することができる。
【００６７】
スタジオが了承したら（YES）、制御部３０１は、ステップＳ１３にて、スタジオ装置１から更新された特定状態のカメラ名を取得する。制御部３０１は、ステップＳ１４にて、更新された特定状態のカメラ名をビューファインダ３０５の表示領域3052または3053に表示して終了する。スタジオが了承しなかったら（NO）、制御部３０１は、ステップＳ１５にて、了承されなかったことを示す文字情報をビューファインダ３０５の表示領域3054に表示して終了する。
【００６８】
図１０において、スタジオ装置１の制御部１０１は、ステップＳ２１にて、カメラ３から特定状態を解除するリクエスト情報を受信したか否かを判定する。受信したら（YES）、制御部１０１は、ステップＳ２２にて、キー入力部１１０の入力によって特定状態の解除が了承されたか否かを判定する。受信しなかったら（NO）、制御部１０１は、ステップＳ２１の処理を繰り返す。
【００６９】
ステップＳ２２にて了承されたら（YES）、制御部１０１は、ステップＳ２３にて、カメラ３の特定状態を解除する。制御部１０１は、ステップＳ２４にて、カメラ３の特定状態を解除したことを示すテキスト情報を生成する。ステップＳ２２にて了承されなかったら（NO）、制御部１０１は、ステップＳ２５にて、カメラ３の特定状態を解除しないことを示すテキスト情報を生成する。制御部１０１は、ステップＳ２６にて、ステップＳ２４またはステップＳ２５にて生成したテキスト情報をカメラ３に送信して終了する。
【００７０】
以上のように、カメラ３によって映像中継するカメラマンとスタジオ装置１を操作するスタジオスタッフは、例えば無線機を用いて会話する必要がなく、カメラ３及びスタジオ装置１が有する機能によって簡単に連絡を取り合うことができる。
【００７１】
本発明のカメラ映像中継システム、スタジオ装置、映像中継用カメラは以上説明した本実施形態に限定されるものではなく、本発明の要旨を逸脱しない範囲において種々変更可能である。本実施形態では、カメラ３のビューファインダ３０５に映像情報及び各種の文字情報を表示しているが、液晶パネルに表示してもよい。映像情報や文字情報を表示する任意の表示器であればよい。
【００７２】
図６，図７では、ビューファインダ３０５の画面内に、映像表示部としての表示領域3051と、カメラ名表示部としての表示領域3052，3053と、テキスト情報表示部としての表示領域3054とを分けて設定しているが、カメラ３が撮影している映像上に、特定状態のカメラ名やスタジオ装置１とカメラ３とが送受信するテキスト情報を示す文字情報を重畳させて表示してもよい。
【符号の説明】
【００７３】
１  スタジオ装置
２  ネットワーク
３  映像中継用カメラ
１０１  制御部
１０２〜１０６  モニタ
１０７  放送・試写選択部（選択部）
１０８  カメラ名保持部
１０９  文字情報表示部
１１０，３０８  キー入力部
１１１  文字情報生成部
１１２  テキスト情報送受信部（送信部，受信部，第１の送信部，第２の受信部）
１１３  映像情報受信部
１１４，３１３  ネットワーク・インタフェース
３０１  制御部（検出部）
３０２  カメラ名設定部
３０３  特定状態カメラ名取得部
３０４  文字情報生成部
３０５  ビューファインダ（表示器）
３０６  映像情報処理部
３０７  撮像部
３０９  操作ボタン
３１０  テキスト情報設定部
３１１  テキスト情報送受信部（受信部，送信部，第１の受信部，第２の送信部）
３１２  映像情報送信部
1091  カメラ名表示部
1092  スタジオ情報表示部
1093  テキスト情報表示部
3040  文字強調部
3051  表示領域（映像表示部）
3052  表示領域（カメラ名表示部）
3053  表示領域（カメラ名表示部）
3054  表示領域（テキスト情報表示部）
【図１】
2013229775.tif 000003
【図２】
2013229775.tif 000004
【図３】
2013229775.tif 000005
【図４】
2013229775.tif 000006
【図５】
2013229775.tif 000007
【図６】
2013229775.tif 000008
【図７】
2013229775.tif 000009
【図８】
2013229775.tif 000010
【図９】
2013229775.tif 000011
【図１０】
2013229775.tif 000012